(57)【要約】【課題】  ＲＦＩＤタグ付き用紙数の管理を行うことができる画像形成装置を提供すること。【解決手段】  画像形成装置において、自動印刷モード設定状態である装置がＲＦＩＤタグによる通信相手を検知し、ＲＦＩＤタグ通信手段４０、８０で通信相手から情報を取得できた後、ＲＦＩＤタグ通信手段４０、８０で通信相手から情報を取得できた数を前記カウンタ機能で計数することにより、紙数を認識するようにした。  【選択図】        図１
2005313551.tif 000002
【特許請求の範囲】
【請求項１】
印刷モードの設定を読み取り、用紙に付したＲＦＩＤタグ情報から自動で設定管理する画像形成装置において、
印刷モードを手動で設定するための操作パネルと、この操作パネルからの手動による手動印刷モード設定機能を有する第１の制御手段と、
当該画像形成装置に内蔵、あるいは通信インターフェイスにより当該画像形成装置と接続可能で、かつ、用紙搬送途中位置に配置したＲＦＩＤタグ通信手段と、
前記ＲＦＩＤ通信手段により前記用紙に付したＲＦＩＤタグから読み込んだ情報から設定する印刷モード設定情報を判断する判断手段と、
前記判断手段の情報から自動で印刷モードを設定する自動印刷モード設定機能を有する第２の制御手段と、
前記手動印刷モード設定機能あるいは自動印刷モード設定機能のいずれかの設定結果に基づいて印刷を行い、前記ＲＦＩＤタグ通信手段で通信相手から情報を取得できた後、手動印刷モード設定状態を解除すると共に自動印刷モード設定に移行する移行手段と、
紙数を認識するために、前記ＲＦＩＤタグ通信手段で通信相手から情報を取得できた後、前記ＲＦＩＤタグ通信手段で通信相手から情報を取得できた数を計数するカウンタ手段と、を備えることを特徴とする画像形成装置。
【請求項２】
前記ＲＦＩＤタグ通信手段で通信相手から情報を取得できた後、通信相手のタグ情報の分類別を認識する認識手段と、
分類毎にカウンタ値を計数して記憶する記憶手段と、をさらに備えることを特徴とする請求項１の画像形成装置。
【請求項３】
前記記憶手段に記憶したカウンタ値を読み出し、一覧として操作パネルに表示することを特徴とする請求項２記載の画像形成装置。
【請求項４】
前記記憶手段に記憶したカウンタ値を読み出し、一覧として用紙に印刷することを特徴とする請求項１または２記載の画像形成装置。
【請求項５】
異なる周波数で通信する複数のＲＦＩＤタグ通信手段、または接続可能なインターフェイス手段を備え、１枚の原稿読み取り動作あるいは用紙印刷動作において複数のＲＦＩＤタグ情報を読み取り可能に構成したことを特徴とする請求項１ないし４のいずれか一項記載の画像形成装置。
【請求項６】
周波数を変えることが可能なＲＦＩＤタグ通信手段、または接続可能なインターフェイス手段を備え、複数の種類のＲＦＩＤタグとの通信を周波数の変更によって可能にしたことを特徴とする請求項１ないし５のいずれか一項記載の画像形成装置。
【請求項７】
前記ＲＦＩＤタグ情報通信手段には、金属シールド材あるいは電磁シールド材によりＲＦＩＤ通信手段から放出される電磁波を局所的に限定する構造を設けたことを特徴とする請求項１ないし６のいずれか一項記載の画像形成装置。
【請求項８】
前記ＲＦＩＤタグの部品位置におけるステープル、パンチ穴、紙折り、切断、ミシン目位置の設定を禁止あるいは解除するために前記ＲＦＩＤタグの位置認識手段をさらに備えることを特徴とする請求項１ないし７のいずれか一項記載の画像形成装置。
【請求項９】
前記設定の禁止と共に、前記操作パネルや発光手段に警告を意図した表示を行うことを特徴とする請求項８記載の画像形成装置。
【請求項１０】
光の受光量変化により対象物を検知する光センサあるいは音の受信量変化により対象物を検知する音センサを備え、あるいは接続可能なインターフェイス手段を備え、前記対象物を検知した状態でのみ前記操作パネルの表示を行い、前記ＲＦＩＤタグとの通信状態でなく、かつ前記対象物の非検知状態では表示の一部あるいは全部を消すことを特徴とする請求項１ないし９のいずれか一項記載の画像形成装置。
【請求項１１】
時計機能を備え、前記操作パネルからのキー押下あるいは外部接続機器からの印刷データ入力等の入力が行われない時間と、前記ＲＦＩＤタグとの通信が正常に行われない状態の時間の少なくとも一方の計時時間が事前に設定された時間内でない場合、前記操作パネルの表示の一部あるいは全部を消すことを特徴とする請求項１ないし１０のいずれか一項記載の画像形成装置。
【請求項１２】
前記操作パネルからのキー押下あるいは外部接続機器からの印刷データ入力等の入力が行われない時間と、前記ＲＦＩＤタグとの通信が正常に行われない状態の時間の少なくとも一方の計時時間が事前に設定された時間を超過した場合、プリンタ部の定着温度に供給する電源を制御することを特徴とする請求項１ないし１１のいずれか一項に記載の画像形成装置。
【請求項１３】
請求項１ないし１２のいずれか一項記載の画像形成装置を備え、この画像形成装置が外部接続された機器との通信インターフェイス手段を介して有線あるいは無線通信によってホストコンピュータやＰＤＡ、携帯電話のごとき外部接続機器への表示やメッセージ通知、状態通知を行い、それらの外部接続機器によって制御可能であることを特徴とする画像形成システム。
【発明の詳細な説明】
【技術分野】
【０００１】
本発明は、ＲＦＩＤタグ読み取り手段を有する印刷装置および画像読み取り装置に関し、特にプリンタ、複写機、スキャナ等の画像形成装置およびこれを使用する画像形成システムに関するものである。
【背景技術】
【０００２】
通常のコンピュータ出力装置の一種である印刷装置は、コンピュータ内の情報を定められた形式で文字、記号、図表などを印刷用紙に印字・印刷して出力するものである（例えば特許文献１参照）。
ところが、通常の印刷装置は、印刷用紙に文字、記号、図表などを印字・印刷するのみで、印刷用紙の紙サイズ、紙種別、紙の印刷可能サイズ、紙の形状、紙毎の固有シリアル番号等に基づいて印刷設定内容を自動設定したり、認識した情報を基に人の五感の内、視覚・聴覚・触覚を利用した通知を使用者に行ったり、認識した情報を基に印刷処理を変更するなどができないものであった。
あるいは、特許文献１記載の印刷装置におけるように、ＰＣ（パーソナルコンピュータ）と接続された印刷装置において紙質情報を記憶させたＩＤチップを装着した印刷紙からの情報取得と印刷に関するものに範囲が限定されていた。
【特許文献１】特開２００３−５４０７５公報
【発明の開示】
【発明が解決しようとする課題】
【０００３】
例えば、複写機やスキャナにおいて原稿用紙に付したＲＦＩＤタグ情報を用紙搬送中に読み取り、読み取ったタグ数をカウントすると共に、その情報に基づいて印刷処理を行うようなものは無かった。
また、単一の用紙上に付した複数通信周波数で異なる機能をするＲＦＩＤタグに対して、タグ読み取り手段間の電磁干渉の問題があった。さらに、ＲＦＩＤ通信周波数の異なるタグが混在する状態で、単一のタグ読み取り手段により通信を実現する印刷装置は無かった。
また、用紙に付したＲＦＩＤタグの位置にステープルやパンチ穴、紙折りが指示された場合に、機能を制限したりすることはされていなかった。さらに、前記指示による警告通知を使用者にするようなことは行われていなかった。
また、光や音を検知するセンサとＲＦＩＤタグ読み取り手段との組み合わせにより機器の表示手段を制御し、無駄な電力を削減するようなことはなされていなかった。
また、ＲＦＩＤは電磁波にて通信を行うため通信エリアが空間的な広がりを持ってしまい、小型機器などに内蔵した場合近接した複数のＲＦＩＤが電波干渉や誤検知を起こす等の問題もあった。
また、印刷装置の後処理としてステープル、パンチ、紙折りなどの処理がなされる場合に、これらがＲＦＩＤタグの位置で行なわれると部品の破壊が発生する問題があった。
【０００４】
また、光や音を検知するセンサによる使用者の検知とＲＦＩＤタグ読み取り手段による使用要求が無い場合に、機器の表示手段を暗くするなどの制御は行われていなかった。
また、光や音を検知するセンサによる使用者の検知とＲＦＩＤタグ読み取り手段による使用要求が規定時間内に発生しなかった場合に、機器の表示手段への警告表示などを行うようなことも行われていなかった。
また、光や音を検知するセンサによる使用者の検知とＲＦＩＤタグ読み取り手段による使用要求が規定時間内に発生しなかった場合に、定着温度を制御するために供給電源の制御を行うようなことも行われていなかった。
本発明の目的は、ＲＦＩＤタグを付した原稿用紙からＲＦＩＤ情報を読み取り、原稿サイズ、綴じ方向などの印刷モードを自動で設定したり、原稿用紙ではなく印刷用紙（トレイ、手差しなど）にＲＦＩＤタグを付して、印刷用紙自体の情報（厚紙、ＯＨＰシートなど）から印刷モード（定着温度の上げ下げ、綴じ代、トリミング、拡大印刷、印刷速度など）を自動で設定することができ、搬送途中にＲＦＩＤリーダ機能を配置することによって、複数の原稿用紙や印刷用紙を配置した場合でも、１枚ずつ搬送する途中で個別に情報を読み出すことが可能であり、手動印刷モード設定状態である場合にＲＦＩＤタグによる通信相手を検知し、情報を取得できた場合に手動印刷モード設定状態から自動印刷モード設定状態へ自動的に移行する画像形成装置およびこれを使用する画像形成システムを提供することにある。
【課題を解決するための手段】
【０００５】
上記の課題を解決するために、請求項１に記載の本発明は、印刷モードの設定を読み取り、用紙に付したＲＦＩＤタグ情報から自動で設定管理する画像形成装置において、印刷モードを手動で設定するための操作パネルと、この操作パネルからの手動による手動印刷モード設定機能を有する第１の制御手段と、当該画像形成装置に内蔵、あるいは通信インターフェイス（Ｉ／Ｆ）により当該画像形成装置と接続可能で、かつ、用紙搬送途中位置に配置したＲＦＩＤタグ通信手段と、前記ＲＦＩＤ通信手段により前記用紙に付したＲＦＩＤタグから読み込んだ情報から設定する印刷モード設定情報を判断する判断手段と、前記判断手段の情報から自動で印刷モードを設定する自動印刷モード設定機能を有する第２の制御手段と、前記手動印刷モード設定機能あるいは自動印刷モード設定機能のいずれかの設定結果に基づいて印刷を行い、前記ＲＦＩＤタグ通信手段で通信相手から情報を取得できた後、手動印刷モード設定状態を解除すると共に自動印刷モード設定に移行する移行手段と、紙数を認識するために、前記ＲＦＩＤタグ通信手段で通信相手から情報を取得できた後、前記ＲＦＩＤタグ通信手段で通信相手から情報を取得できた数を計数するカウンタ手段とを備えることを特徴とする。
また請求項２に記載の本発明は、前記ＲＦＩＤタグ通信手段で通信相手から情報を取得できた後、通信相手のタグ情報の分類別を認識する認識手段と、分類毎にカウンタ値を計数して記憶する記憶手段と、をさらに備えることを特徴とする。
【０００６】
また請求項３に記載の本発明は、前記記憶手段に記憶したカウンタ値を読み出し、一覧として操作パネルに表示することを特徴とする。
また請求項４に記載の本発明は、前記記憶手段に記憶したカウンタ値を読み出し、一覧として用紙に印刷することを特徴とする。
また請求項５に記載の本発明は、異なる周波数で通信する複数のＲＦＩＤタグ通信手段、または接続可能なインターフェイス手段を備え、１枚の原稿読み取り動作あるいは用紙印刷動作において複数のＲＦＩＤタグ情報を読み取り可能に構成したことを特徴とする。
また請求項６に記載の本発明は、周波数を変えることが可能なＲＦＩＤタグ通信手段、または接続可能なインターフェイス手段を備え、複数の種類のＲＦＩＤタグとの通信を周波数の変更によって可能にしたことを特徴とする。
また請求項７に記載の本発明は、前記ＲＦＩＤタグ情報通信手段には、金属シールド材あるいは電磁シールド材によりＲＦＩＤ通信手段から放出される電磁波を局所的に限定する構造を設けたことを特徴とする。
また請求項８に記載の本発明は、前記ＲＦＩＤタグの部品位置におけるステープル、パンチ穴、紙折り、切断、ミシン目位置の設定を禁止あるいは解除するために前記ＲＦＩＤタグの位置認識手段をさらに備えることを特徴とする。
また請求項９に記載の本発明は、前記設定の禁止と共に、前記操作パネルや発光手段に警告を意図した表示を行うことを特徴とする。
【０００７】
また請求項１０に記載の本発明は、光の受光量変化により対象物を検知する光センサあるいは音の受信量変化により対象物を検知する音センサを備え、あるいは接続可能なインターフェイス手段を備え、前記対象物を検知した状態でのみ前記操作パネルの表示を行い、前記ＲＦＩＤタグとの通信状態でなく、かつ前記対象物の非検知状態では表示の一部あるいは全部を消すことを特徴とする。
また請求項１１に記載の本発明は、時計機能を備え、前記操作パネルからのキー押下あるいは外部接続機器からの印刷データ入力等の入力が行われない時間と、前記ＲＦＩＤタグとの通信が正常に行われない状態の時間の少なくとも一方の計時時間が事前に設定された時間内でない場合、前記操作パネルの表示の一部あるいは全部を消すことを特徴とする。
また請求項１２に記載の本発明は、前記操作パネルからのキー押下あるいは外部接続機器からの印刷データ入力等の入力が行われない時間と、前記ＲＦＩＤタグとの通信が正常に行われない状態の時間の少なくとも一方の計時時間が事前に設定された時間を超過した場合、プリンタ部の定着温度に供給する電源を制御することを特徴とする。
また請求項１３に記載の本発明は、請求項１ないし１２のいずれか一項記載の画像形成装置を備え、この画像形成装置が外部接続された機器との通信インターフェイス手段を介して有線あるいは無線通信によってホストコンピュータやＰＤＡ、携帯電話のごとき外部接続機器への表示やメッセージ通知、状態通知を行い、それらの外部接続機器によって制御可能であることを特徴とする。
【発明の効果】
【０００８】
請求項１の発明によれば、前記画像形成装置において自動印刷モード設定状態である装置がＲＦＩＤタグによる通信相手を検知し、情報を取得できた場合に、内部のカウンタ機能によりＲＦＩＤ付き用紙の数をカウントし、数を認識することができる。
これにより、ＩＤタグ付き用紙数を管理することが可能となる他、カウント数に応じてポイントを付加、または印刷料金の割引などを行い、使用者に対してタグ付き用紙の使用を促す効果が期待できる。
また、内部のカウント情報を機器外部にカウンタ情報として目視可能な表示手段を持たせる、あるいは装置の操作パネルに表示させることで、機器の管理者や使用者がカウント数を容易に認識することが可能となる。
【発明を実施するための最良の形態】
【０００９】
以下、本発明の第１の実施の形態に係る画像形成装置およびこの画像形成装置に適用可能な画像形成方法について図面を参照して説明する。
この画像形成装置は、例えば原稿画像を複写する複写機能、通信回線を介して画像データを送受信するファクシミリ機能、および、外部インターフェイスを介して外部装置から供給される画像データに基づいてプリントするプリンタ機能を備えた画像形成装置、すなわち複合型デジタル複写装置（以下、複写装置と略称する）として構成される。
図１は本発明の画像形成装置である複写装置の内部構造を概略的に示す断面図である。図１に示したように、本発明の画像形成装置、例えば電子写真式デジタル複写装置５０は、原稿画像を読み取って画像データを生成する読み取り手段として機能する画像読み取り部、すなわちスキャナ部５０ａ、および画像データに基づいて画像を形成する画像形成手段として機能する画像形成部、すなわちプリンタ部５０ｂを有している。
また、複写装置５０は、このスキャナ部５０ａの上部に、スキャナ部５０ａの後述する原稿台すなわち原稿テーブルに対して開閉可能に形成されて読み取り対象物としての原稿Ｄを原稿台に向けて１枚ずつ給送するとともに、原稿台に載置された原稿Ｄを原稿台に密着させる原稿押さえとして機能する搬送手段としての原稿自動給送装置５１を備えている。
スキャナ部５０ａは、その上部に、閉じた状態にある原稿自動給送装置５１に対向されるとともに原稿Ｄがセットされる透明なガラスからなる原稿テーブル５２と、原稿テーブル５２の一端に配置されるとともに原稿テーブル５２に原稿Ｄをセットすべき位置を示す原稿スケール４９とを有している。
【００１０】
原稿テーブル５２の下方には、原稿テーブル５２に載置された原稿Ｄを照明する露光ランプ５４、露光ランプ５４からの光ビームを原稿Ｄに集光させるための補助反射板５８、および、原稿Ｄからの反射ビームを図中左方向に折り曲げる第１ミラー５６などが配置されている。
露光ランプ５４、補助反射板５８および第１ミラー５６は、第１キャリッジ５７に固定されており、この第１キャリッジ５７の移動に伴って原稿テーブル５２と平行に移動可能に配置されている。
なお、第１キャリッジ５７は図示しない歯付きベルト等を介して図示しないパルスモータの駆動力が伝達されて、原稿テーブル５２に沿って平行に移動されるように構成されている。
原稿テーブル５２の図中左方、すなわち第１ミラー５６により反射された反射ビームが案内される方向には、第２キャリッジ５９が配設されている。この第２キャリッジ５９には、第１ミラー５６により案内される原稿Ｄからの反射ビームを下方に折り曲げる第２ミラー６０、および図中右方に折り曲げる第３ミラー６１が互いに直角に配置されている。
第２キャリッジ５９は、第１キャリッジ５７を駆動する図示しない歯付きベルトなどにより第１キャリッジ５７に従動されるとともに、第１キャリッジ５７に対して１／２の速度で原稿テーブル５２に沿って平行に移動される。
第１キャリッジ５７の下方であって、第２キャリッジ５９を介して折り返されたビームの光軸を含む面内には、第２キャリッジ５９からの反射ビームを所定の倍率で結像させる結像レンズ６２、および、この結像レンズ６２により集束性が与えられた反射ビームを電気信号すなわち画像データに変換する複数のＣＣＤイメージセンサからなるラインセンサ５３が配置されている。
なお、ここでは、ラインセンサ５３における複数のＣＣＤイメージセンサが配列されている方向を主走査方向とし、第１キャリッジ５７および第２キャリッジ５９が移動する方向を副走査方向とする。
【００１１】
一方、プリンタ部５０ｂではその画像メモリに記憶された画像データを画像形成出力する。すなわち、感光体ドラム１２を矢示方向に回転させると同時に、その感光体ドラム１２上に付着した残留トナーおよび不均一な電位が帯電チャージャ１３および現像ユニット１４、１５に到達しないようにする。
すなわち、除電ランプ（ＱＬ）１６、転写前除電ランプ（ＰＴＬ）１７、転写チャージャ１８、分離チャージャ１９、イレーサ２０、およびクリーニングユニット２１を駆動して、除電ランプ１６を通過した後の感光体ドラム１２の表面電位が略ゼロになるようにする。
その後、感光体ドラム１２の表面を帯電チャージャ１３により一様に帯電すると共に、画像メモリに記憶された画像データを読み出して、それに応じて図示しない半導体レーザからレーザ光を射出させる。
半導体レーザから射出されるレーザ光は、図示しないシリンダレンズによって集光されて回転走査するポリゴンミラー（レーザ光発生器）２２に入射し、その反射光が光学系（レンズ）２３、およびミラー２４を介して感光体ドラム１２の表面を照射して静電潜像を形成する。
次いで、感光体ドラム１２上に形成された潜像を、非画像部（画像作成領域からはみ出した不要部分）の電荷をイレーサ２０によって除去した後、黒トナーにより現像を行なう黒現像ユニット１４あるいはカラートナーにより現像を行なうカラー現像ユニット１５よりトナーを付着して可視像化する。このとき、現像バイアス電位を変化させることにより、画像の濃淡を調整することができる。
他方において、図示しないメインモータの駆動を選択的に取り出せる給紙クラッチのオンにより呼び出しローラ２５および３個の給紙ローラ２６のいずれかを駆動し、予め選択された給紙段（後述する）にセットされている転写紙を停止中のレジストローラ対２７に向けて給紙させる。
【００１２】
レジストローラ対２７の手前にはレジストセンサ２８が配設されており、そのレジストセンサ２８は、例えば反射型フォトセンサであり、その対向位置に転写紙の先端が到達するとオン状態になる。それから、一定時間経過後に給紙クラッチをオフ状態に戻して、搬送中の転写紙を停止させる。
なお、給紙クラッチのオフのタイミングは、レジストセンサ２８とレジストローラ対２７の間を転写紙が搬送される時間より長く取られている。したがって、その転写紙は先端がレジストローラ対２７に付き当てられ、先端側に撓みを生じてスキュー等を防止する状態で待機する。
その後、感光体ドラム１２上の画像先端に合わせたタイミングでレジストクラッチをオン状態にし、それによってレジストローラ対２７が回転駆動されることにより、待機中の転写紙を転写部へ向けて再搬送する。
その転写紙が転写部に到達すると、転写チャージャ１８の作用によって感光体ドラム１２上のトナー像をその転写紙面上に転写し、続いて転写チャージャ１８と一体に保持されている分離チャージャ１９の作用によって転写紙面上の帯電電位を下げて転写紙と感光体ドラム１２との密着力を低下させた後、分離爪２９によってその転写紙を感光体ドラム１２面から分離する。
次いで、その転写紙を２個のローラによって張装された搬送ベルト３０によって定着部へ送り、その定着ローラ３１によってトナー像を熱定着し、その後コピーモードとして片面モードが選択されていれば切り換え爪３２の上側を通して外部の図示しない排紙トレイに排紙し、両面モードが選択されていれば切り換え爪３２の切り換えによって下側の再給紙用搬送経路３３へ送り込む。
なお、画像転写後の感光体ドラム１２上の残留トナーはクリーニングユニット２１を構成するクリーニングブラシ２１ａ、クリーニングブレード２１ｂによって除去してトナー回収タンク２１ｃに回収させ、さらに残存電荷を消去するためにその感光面を除電ランプ１６によって全面露光させる。
【００１３】
ところで、この複写装置５０には、特定サイズの転写紙のみをまとめて収納できる通常の給紙カセットとして、それぞれ異なるサイズの転写紙をセットした３つの給紙カセット３４〜３６を着脱可能に備えている。
またそのいずれの給紙カセットにも収納されていない転写紙、すなわち不特定サイズの転写紙をセットできる手差しテーブル（手差しトレイ）３７をも備えている。
そして、各給紙カセット３４〜３６のいずれかに収納されている転写紙を用いてコピーする場合は、そのカセットサイズを図示しない操作パネル上のサイズ選択キーによって選択した後、コピースタートキーを押下することにより、その給紙カセットから転写紙の給紙が行なわれる。
なお、図中３８ａ〜３８ｃは各給紙カセット３４〜３６の各収納用紙サイズを検知するためのサイズ検知センサであり、例えば５連のフォトインタラプタを使用する。
また、各給紙カセット３４〜３６の先端部には、それぞれ図示しないサイズ識別用の遮光板が付設されている。この遮光板はカセット内に収納されるべき転写紙のサイズ毎に異なる切欠部を有している。
サイズ検知センサ３８ａ〜３８ｃは、給紙カセット３４〜３６が装着されると、その遮光板の遮光部を挟んだフォトインタラプタのみが光路を遮断されるため、それに応じた信号（コード）をそれぞれ後述する制御部へ出力することができる。
一方、不特定サイズの転写紙を用いてコピーする場合には、手差しテーブル３７を仮想線で示す閉じた状態から矢示Ａ方向に開いて実線で示す使用状態にした後、その上面に所望の転写紙をセットして、コピースタートキーを押下することにより、その手差しテーブル３７から転写紙の給紙が行なわれる。
なお、手差しテーブル３７が開く方向に回動すると、第１給紙カセット３４に設けられている転写紙載置用の底板を持ち上げていた底板上昇アーム３９がそれに連動して下降する。
また、この複写装置の手差しテーブル３７に対向する位置には、その手差しテーブル３７の開閉を検知するための開閉検知センサ（図示せず）が設置されている。
なお、給紙カセット３４〜３６のいずれか、あるいは手差しテーブル３７から給紙された転写紙がレジスト位置に到達する前の位置に、ＲＦＩＤタグ読み取り手段４０を配置し、転写紙に付したＲＦＩＤタグとの間で通信を行う機能を果たすようにしている。
【００１４】
図２は図１のデジタル複写装置の制御部の主として画像処理に係わる部分の概略を示すブロック構成図である。図１のデジタル複写装置５０は、ビデオ処理回路１０１、画像処理回路１０２、ビデオ書き込み処理回路１０３、ＬＤ制御部１０４、中央処理装置（以下「ＣＰＵ」という）１０５、ＲＯＭ１０６、ＲＡＭ１０７、画像メモリ１０８、インターフェイス部１０９、およびシステムバス１１０を備えている。
ビデオ処理回路１０１は、スキャナ部５０ａで読み取った画像データ（ＣＣＤカラーイメージセンサ１００から出力される信号）をＡ／Ｄ変換して黒オフセット補正、シェーディング補正、画素位置補正を行なう。
図３は図２の画像処理回路の細部を示すブロック回路図である。画像処理回路１０２は、図３に示すように色分離回路１２０、ＭＴＦ補正回路１２１、変倍回路１２２、γ補正回路１２３、および画質処理回路１２４からなっている。
画像処理回路１０２は上記の構成によってビデオ処理回路１０１から入力される画像データに対して画像処理を施す。この処理については、追って詳細に説明する。
図２に戻って、ビデオ書き込み処理回路１０３は、画像処理回路１０２から入力される画像データに応じてプリンタ部５０ｂの制御を行なう。ＬＤ制御部１０４は、ビデオ書き込み処理回路１０３からのビデオ信号に応じて半導体レーザであるレーザダイオード（ＬＤ）１１２の発光制御を司る。
ＣＰＵ１０５は、ＲＯＭ１０６内の制御プログラムにしたがってこのデジタル複写装置全体を統括的に制御する。ＲＯＭ１０６は、ＣＰＵ１０５を動作させるための制御プログラムを含む各種固定データを格納した読み出し専用のメモリである。ＲＡＭ１０７は、ＣＰＵ１０５がデータ処理の際に一次的に使用する読み書き可能なメモリである。
画像メモリ１０８は、画像処理回路１０２から送られてくる画像データを記憶する読み書き可能なメモリである。インターフェイス部１０９は画像処理回路１０２とシステムバス１１０との間のインターフェイスを、システムバス１１０は各回路間のデータのやり取りをそれぞれ司る。
操作パネル１１１は、本発明に係わる編集内容の指示を含む各種情報を入力する入力部と各種情報を表示する表示部とからなる。
【００１５】
次に、図２に示した制御部による画像処理についてさらに詳細に説明する。ＣＣＤカラーイメージセンサ１００によって読み取られたＲ、Ｇ、Ｂの画像信号は、ビデオ処理回路１０１で適正なゲインを与えられてＡ／Ｄ変換され、黒オフセット補正、シェーディング補正、および画素位置補正が行なわれる。
そしてこれらの画像信号は所定のクロックに同期した８ビットのデジタルデータである赤画像データＲＤＴ０〜７、緑画像データＧＤＴ０〜７、青画像データＢＤＴ０〜７として出力される。
ここで、黒オフセット補正とはＣＣＤ１００の暗電流の黒レベルを画像データから減算する補正である。シェーディング補正とは、主走査方向の露光ランプ５４の光量むらやＣＣＤカラーイメージセンサ１００の各色用ＣＣＤの画素間の感度差によるむらを除くために行なわれる補正である。
この補正は原稿走査開始前に濃度の均一な白板を読み取ってそのデータを画素毎に記憶し、原稿読み取り中の画像データを記憶した画素毎の白板のデータで除算することによって行なわれる。
画素位置補正とは、ＣＣＤカラーイメージセンサ１００として３ラインのものを用いた場合、副走査方向の画素の位置ズレがあるため、この位置ズレを補正するものである。
画像処理回路１０２では、ビデオ処理回路１０１から出力されるＲＧＢの画像データ（ＲＤＴ０〜７、ＧＤＴ０〜７、ＢＤＴ０〜７）および黒画像データＢＬＫＤＴ０〜７が図３に示した色分離回路１２０で分離される。
さらに、画像データＢＬＫＤＴ０〜７を、ＭＴＦ補正回路１２１でＭＴＦ補正を施した後変倍回路１２２で主走査方向の電気変倍を行ない、さらにγ補正回路１２３でγ補正を行った後、画質処理回路１２４でディザや誤差拡散などの画質処理を行なう。
ここで、ＭＴＦ補正とは光学的な周波数特性の劣化などを２次元の空間フィルタで補正するものである。各種の補正がなされた黒画像データＢＬＫＤＴ０〜７は図２のインターフェイス部１０９に送られ、黒画像データＢＬＫＤＴ０〜７は画像メモリ１０８に記憶される。
画像データＢＬＫＤＴ０〜７はビデオ書き込み処理回路１０３にも送られ、そこでプリンタ部５０ｂの書き込み速度に対応できるビデオ信号に変換されてＬＤ制御部１０４に入力される。
その入力された画像信号に応じてレーザダイオード１１２に与える電流のパルス幅や電流の量を制御し、図１に示した感光体ドラム１２上に光書き込みを行なって静電潜像を形成する。
なお、画像処理回路１０２はメイン制御部のＣＰＵ１０５とアドレスバス、データバスを共有しており、これを介して通信が行なわれている。ＣＰＵ１０５は、スキャナ部５０ａやプリンタ部５０ｂのモータ制御も行なっている。その他にも、各種クラッチ、ソレノイドの制御も行なっている。
【００１６】
図１を参照して、原稿自動給送装置５１は、それ自体の後端縁部が複写装置５０の上面後端縁部に図示しないヒンジ装置を介して取り付けられたカバー６４を有し、必要に応じて原稿自動給送装置５１全体を回動変位させることで、すでに説明したように、画像読み取り部４の原稿テーブル５２に対して開閉可能に形成されている。
カバー６４の上面のやや左方向部位には、所定枚数、例えば５０枚の原稿Ｄを保持することが可能な原稿給紙台６５が設けられている。原稿給紙台６５の図中左方すなわち原稿自動給送装置５１の一端側には、原稿給紙台６５にセットされた原稿Ｄを順次１枚ずつ取り出すとともに、図中左端側から画像読み取り部５０ａの原稿テーブル５２の一端側に供給するためのピックアップローラ６７が配置されている。
原稿給紙台６５の所定の位置には、原稿給紙台６５への原稿Ｄがセットされたか否かを検知する検知手段として機能する原稿検知センサとしてのエンプテイセンサ６６が配設されている。
なお、原稿給紙台６５には、原稿テーブル５２に原稿Ｄがセットされた位置を検知する原稿位置検知センサ５５と同様に機能する図示しない原稿幅検知センサが配置されてもよい。
【００１７】
ピックアップローラ６７の原稿取り出し方向には、ピックアップローラ６７により取り出された原稿Ｄを原稿テーブル５２に向けて送出する給紙ローラ６８、および、この給紙ローラ６８により給送された原稿Ｄの先端を整位するアライニングローラ６９が配置されている。
アライニングローラ６９と給紙ローラ６８との間には、原稿Ｄのアライニングローラ６９への到達を検出するアライニングセンサ７０が配置されている。カバー６４の内側で、原稿自動給送装置５１が閉じられた状態で画像読み取り部５０ａの原稿テーブル５２と対向される位置に搬送ベルト７１が配置されている。
この搬送ベルト７１は、原稿テーブル５２のほぼ全体を覆う大きさが与えられ、ピックアップローラ６７、給紙ローラ６８およびアライニングローラ６９を介して原稿給紙台６５から搬送された原稿Ｄを原稿テーブル５２の所定の位置に搬送する。
搬送ベルト７１は、図中左右１対に配置されたベルトローラ７２に掛け渡され、図示しないベルト駆動機構によって、図中右側および図中左側の両方向に向けて回転される。
原稿自動給送装置５１の右側部位には、搬送ベルト７１により図中左側から図中右側に移動される原稿Ｄをカバー６４の外側に向けて送出する反転ローラ７３、この反転ローラ７３に原稿Ｄを押し付けるピンチローラ７４、反転ローラ７３とピンチローラ７４により搬送される原稿Ｄを切り換える切り換えフラッパ７５が配置されている。
この切り換えフラッパ７５は搬送された原稿Ｄを再び搬送ベルト７１へ戻すか所定の排出位置すなわちカバー６４上に排出させるかを切り換える。切り換えフラッパ７５が排出側に切り換えられている場合に、反転ローラ７３により搬送された原稿Ｄを排出させる排紙ローラ７６、および、反転ローラ７３の近傍での原稿のジャムを検知するジャムセンサ７７などが配置されている。
また、原稿自動給送装置５１内の原稿搬送経路上にＲＦＩＤタグ読み取り手段８０が配置され、このＲＦＩＤタグ読み取り手段８０は原稿搬送中に原稿用紙に付したＲＦＩＤタグとの間で通信を行う機能を果たすようになっている。
【００１８】
図４は画像形成装置である複写装置本体の前面上部に設けられる操作パネルの構成を示す平面図である。図４の操作パネル１１１は、装置本体５０の前面上部には、様々な複写条件並びに複写動作を開始させる複写開始信号などを入力するために設けられている。
図４に示すように、操作パネル１１１には、複写機能を実行するための複写モードを設定する複写ボタン１２６、ファクシミリ機能を実行するためのＦＡＸモードを設定するＦＡＸボタン１２７、およびプリンタ機能を実行するためのプリンタモードを設定するプリンタボタン１２８が設けられている。
また、操作パネル１１１には、複写モードにおいて複写枚数などの数値を入力するためのテンキー１２９、複写の開始を指示するスタートボタン１３０、複写枚数を訂正するときや複写動作を停止させるときなどに使用されるクリア／ストップボタン１３１、選択したモードや各種設定した条件等をすべてクリアするオールクリアボタン１３２、および、複写倍率を設定するための倍率設定ボタン１３３が設けられている。
スタートボタン１３０は、原稿給紙台６５にセットされた原稿の読み取り開始を指示するとともに、画像データに基づいた画像の形成を指示する入力手段として機能する。
さらに、操作パネル１１１には、画像を形成したい転写紙のサイズを選択設定するための転写紙サイズボタン１３４、原稿台に載置された原稿のサイズを検知して自動的に用紙サイズを設定する自動用紙選択ボタン１３５、原稿サイズを設定するための原稿サイズボタン１３６、および、転写紙サイズボタン１３４によって設定された転写紙サイズと検知した原稿サイズとに基づいて自動的に複写倍率を設定する自動倍率選択ボタン１３７が設けられている。
【００１９】
これらの各種設定ボタンの他に、さらに、設定されたモードの内容や操作手順などの案内情報を表示させる操作ガイドボタン１３８、予熱状態を設定する予熱ボタン１３９、プリンタ部の動作中に割り込みを指示する割り込みボタン１４０などが設けられている。
そして、この操作パネル１１１の略中央には、装置の状態、操作手順、および、ユーザに対して各種のメッセージを文字や図形で表示する報知手段として機能するタッチパネル式の液晶表示装置（ＬＣＤ）によって構成された表示パネル１４１が設けられている。この表示パネル１４１は、機能毎にその操作を画面に表示するものである。
表示パネル１４１は、ユーザに情報を提供するための上段、中段、下段の３つのエリアからなるメッセージエリアと、基本操作を指定するための「基本」ボタン、編集操作を指定するための「編集」ボタン、拡張操作を指定するための「拡張」ボタン、設定操作を指定するための「指定」ボタンなどのタイトル切り換えボタンが配置されたタイトルエリアと、原稿枚数やコピー枚数などを表示するためのフィールドエリアを有している。
基本操作では、通常の複写動作、すなわち原稿画像を読み取って原稿画像に対応した画像、すなわち正像を転写紙上に形成する第１画像形成モードが実行される。編集操作では、特殊な複写動作、すなわち原稿画像を読み取って原稿画像を副走査方向に反転させた画像、すなわち鏡像を転写紙上に形成する第２画像形成モードなどを設定することができる。
【００２０】
ここで、本発明が意図する解決の概要を記載する。本発明の画像形成装置は、ＲＦＩＤタグ付き紙を原稿用紙として、あるいは印刷用紙として使用することを想定し、装置にはＲＦＩＤタグ読み取り手段を備え、あるいは別ユニットの読み取り手段を接続可能なインターフェイスを備え、前記読み取り手段は内蔵あるいは外付けで設置可能な構成を想定している。
また、操作パネルとしてボタン、タッチパネル等の入力機能とＬＥＤ、ＬＣＤ、ＣＲＴ等の表示機能を備え、内蔵あるいは外付けで設置可能な構成を想定している。
また、操作パネルは、無線ＬＡＮ・無線公衆回線・光通信・音通信といった無線通信を利用してＰＤＡ、携帯電話、携帯型コンピュータ、リモートコントローラ、ネットワーク家電製品といった他の装置が具備している操作手段を使って制御することも想定している。
また、有線・無線ネットワークにて装置と接続されたホストコンピュータの入出力機能を使って制御することも想定している。
また、画像形成装置のＲＦＩＤタグ情報の取得は原稿用紙や印刷用紙が原稿台・給紙トレイに載置され静止状態での検知ではなく、原稿用紙搬送中、あるいは印刷用紙搬送中に行われるよう構成されているため、単一のＲＦＩＤ読み取り手段にて用紙上のＲＦＩＤタグ情報を１枚１枚読み取ることが容易に可能な点を特徴としている。
また、通常使用形態からＲＦＩＤタグ付き紙と付いていない紙が混在する場合も考えられるため、綴じ代・トリミング・拡大縮小・印刷速度・カラーモード調整・定着温度設定等の印刷モード設定を前記操作パネルから手動で設定するモードと、ＲＦＩＤタグ情報に基づいて自動で設定するモードの２モードを備えている。
これによって本発明ではＲＦＩＤタグと読み取り手段間の相互通信が正常に行われた結果、読み取り手段はタグ情報を取得して手動設定モードから自動設定モードへの移行を行う機能を有する印刷装置を基にしており、複写機・スキャナ・プリンタといった印刷装置あるいは複合システムに適用することを想定している。
本発明では、ソフトウェアまたはハードウェアの少なくとも一方の機能によるカウンタ機能を有しており、ＲＦＩＤタグと読み取り手段間の相互通信が正常に行われた数をカウントすることにより、ＲＦＩＤタグ付き紙の数を計算することを想定している。
カウント値は有限値として印刷装置にカウント値のクリア機能を持たせることや、充分大きなカウント値を想定し、クリア機能を持たせないことも想定している。
また、カウント値を装置内部や着脱可能なメディアに一時的あるいは恒久的に記憶させる機能や、外部接続しているホストコンピュータなどの電子機器へのデータ転送とデータ記憶の形態も想定している。
【００２１】
本発明では、ソフトウェアまたはハードウェアの少なくとも一方の機能によるカウンタ機能を有しており、ＲＦＩＤタグと読み取り手段間の相互通信が正常に行われた後、読み取ったＲＦＩＤタグを特定の分類手順にしたがって分類し、分類毎にカウントすることにより、例えば紙サイズ毎の紙数、紙色毎の紙数、普通紙・厚紙・フィルムといった紙種毎の紙数別に数を計算することを想定している。
カウント値は有限値として装置にカウント値のクリア機能を持たせることおよび、充分大きなカウント値を想定し、クリア機能を持たせないことも想定している。
本発明では、前記カウンタ値をカウンタ機能から直接、あるいは一旦記憶させた内部記憶手段から読み出して、カウンタ数値情報として操作パネルの表示手段に表示し使用者に通知することを想定している。
また、前記外部接続された機器との通信インターフェイス手段を介して有線あるいは無線通信によってホストコンピュータやＰＤＡ、携帯電話といった外部接続機器への表示やメッセージ通知、状態通知を行うことも想定している。
また、装置に内蔵あるいは外部接続可能な音発生装置、振動発生装置、点字キーボード装置へのカウンタ情報通知を行うことも想定している。
本発明では、画像形成装置として印刷機能を備えている、あるいは印刷装置と接続可能な構成である場合、カウンタ値を表形式やテキスト形式といった特定のデータ形式で紙に印刷する機能を有している。
カウンタ値のみのデータ印刷や、機器設定情報や印刷文書の一部に付加するなど他の情報と共にカウンタ値を含めた内容の文書として印刷することも想定している。
本発明では、異なる周波数で通信する複数のＲＦＩＤタグ読み取り手段を内蔵、あるいは接続可能な機能を有しており、異なる周波数にてＲＦＩＤタグと通信することにより、複数の異なる種類のＲＦＩＤタグと通信が可能なシステムを想定している。
また、同一のＲＦＩＤタグにおいても異なる周波数の電磁波供給により回路の機能が実質的に切り換わることにより、応答するコマンドを異にするようなシステムも想定している。
１枚の用紙上に複数の異なるＲＦＩＤタグを付した場合や、異なるメーカーや規格のＲＦＩＤタグに対応させる場合や、用紙上の近接した位置に複数のＲＦＩＤタグを配置する場合などを想定している。
【００２２】
本発明では、異なる周波数で通信することが可能な単一のＲＦＩＤタグ読み取り手段を内蔵、あるいは接続可能な機能を有しており、選択的にあるいは無段階調整で読み取り手段のＲＦ周波数を変えることができるシステムを想定している。
また、同一のＲＦＩＤタグにおいても異なる周波数の電磁波供給により回路の機能が実質的に切り換わることにより、応答するコマンドを異にするようなシステムも想定している。１枚の紙上に複数の異なるＲＦＩＤタグを付した場合や、異なるメーカーや規格のＲＦＩＤタグに対応させる場合などを想定している。
本発明では、ＲＦＩＤタグ読み取り手段の近傍や周囲に金属、導電体、磁性体などの電磁波シールド材として機能する材料で一定の範囲外への電磁波拡散を防止する形状の加工物を配置することにより、ＲＦＩＤ読み取り手段からの電磁波放射容易機を限定的にすることを想定している。
紙上の複数のＲＦＩＤタグが近接した位置にあったり、小型の画像形成装置でＲＦＩＤタグ読み取り手段が近接していたりした場合に電波干渉によるアクセスエラーやデータの誤読み出しを防止することを想定している。
本発明では、画像形成装置自体あるいは接続可能な構成として、ステープル打ち、パンチ穴明け、紙折り、切断、ミシン目作成機能を実現する手段を有しており、これらの機能を制限することを想定している。
紙上のＲＦＩＤタグ、アンテナなどの回路部品の位置に対して、前述のステープル、パンチ、紙折り、ミシン目を指定することを禁止させたり、一旦設定していた前記指定を自動的に解除したり、紙搬送自体を停止させることを想定している。また、紙折りに関しては、アンテナ部にのみ指定を許可することも想定している。
【００２３】
本発明では、前述のステープル打ち、パンチ穴明け、紙折り、切断、ミシン目作成を制限した際に操作パネルの表示手段に警告表示を行い、使用者に通知する機能を有している。表示対象としてはパイロットランプやＬＥＤなどの発光手段による通知も想定している。
また、前記外部接続された機器との通信インターフェイス手段を介して有線あるいは無線通信によってホストコンピュータやＰＤＡ、携帯電話といった外部接続機器への表示やメッセージ通知、状態通知を行うことも想定している。また、印刷装置に内蔵あるいは外部接続可能な音発生装置、振動発生装置、点字キーボード装置への警告通知を行うことも想定している。
本発明では、ＲＦＩＤタグ読み取り手段の他に光（赤外線、可視光線、紫外線）センサや、音（音波、超音波）センサなどを内蔵あるいは接続可能な構成で、画像形成装置周囲の光量変化や音変化を検知する機能を有している。
光センサや音センサは装置周囲の人の有無を検知し、ＲＦＩＤタグ読み取り手段がタグから取得した情報と、センサからの人検知の情報から、操作パネルの表示を行うか否かを制御することを想定している。どちらの取得情報も無かった場合に、表示を消すことにより省電力を実現することを想定している。
本発明では、装置内部にソフトウェアまたはハードウェアの少なくとも一方の機能による時計機能を有しており、操作パネルからの入力あるいは外部接続機器からのジョブ印刷データ入力が行われなかった計時時間と、ＲＦＩＤタグ読み取り手段とタグとの相互通信が行われなかった計時時間の少なくとも一方が規定の時間を超えた場合、操作パネルの表示を消すことにより省電力を実現することを想定している。
本発明では、装置内部にソフトウェアまたはハードウェアの少なくとも一方の機能による時計機能を有しており、操作パネルからの入力あるいは外部接続機器からのジョブ印刷データ入力が行われなかった計時時間と、ＲＦＩＤタグ読み取り手段とタグとの相互通信が行われなかった計時時間の少なくとも一方が規定の時間を超えた場合、印刷装置において一般的に消費電力が最も多いとされる定着温度を低下させる目的で定着部への供給電力をカットする、あるいは低下させることで省電力を実現することを想定している。
【００２４】
図５は本発明の画像形成装置の第１の実施の形態の動作フローを説明するフローチャートである。既述の画像形成装置において、第１の実施の形態を説明する（図１、図２、図４、図５）。
前記画像形成装置の非印刷状態（待機状態）において、ＲＯＭ１０６に格納されているプログラムをＣＰＵ１０５が解読・実行を行うと共に、予め設定されているモード（本実施の形態では手動印刷モード）の状態が保持されている。
図５のフローチャートにおいて、電源投入後（Ｓ１）、装置内部の初期設定を行い（Ｓ２）、手動印刷モード設定状態に移行する（Ｓ３）。この後、印刷待機状態となる（Ｓ４）。この状態において原稿台６５に原稿用紙を載置する。
操作パネル１１１よりボタン押下によって複写要求を行ったさい（Ｓ４）、１枚目の原稿用紙先端がピックアップローラ６７、給紙ローラ６８によりフィードされ（Ｓ５）、ＲＦＩＤタグ読み取り手段８０を通過することで、原稿用紙にＲＦＩＤが付されていた場合、読み取り手段８０との間で規定の通信プロトコルによりデータ授受が行われる（Ｓ７）。
このとき、規定のデータ授受に成功した結果（Ｓ８）、装置は手動印刷モード設定状態から、自動印刷モード設定状態に移行（Ｓ１０）し、用紙上のＲＦＩＤタグから取得した印刷モードデータ（Ｓ９）に基づいて（紙質や紙厚に対する最適な定着部温度の設定、すでにレイアウト済みの印刷用紙に対する印刷の綴じ代設定やトリミング設定などの）内部の印刷モードの設定を変更し、その結果に基づいた装置設定状態（Ｓ１１）にて印刷を実行する（Ｓ１３）。
この手順において、前記画像形成装置がＲＦＩＤタグ付き原稿用紙との間でＲＦＩＤ通信が成功した数をカウントするためのカウンタを装置内部に具備しているため、原稿用紙がＲＦＩＤタグ読み取り装置８０を１枚ずつ通過する度に、用紙上のタグおよび装置内のタグ読み取り手段の相互通信を行い、正しく通信が行われたタグ数（＝用紙数）を計数する（Ｓ１２）。
また、タグとの通信結果をカウントする条件として、相互通信の成功をもってカウントしても構わないし、相互通信におけるデータを解析した結果、カウント条件として設定した条件に合致するか否かを判断してカウントすることも可能である。
また、このカウンタ機能はソフトウェアによっても実現できるためＣＰＵ１０５によってＣＰＵ内部あるいはＲＡＭ１０７を一時記憶領域として使用しカウント動作を行うことでも構わない。ただし、画像形成装置の電源オフ後もカウントデータの保持が要求される場合は、ＲＯＭ１０６に記憶するなどの措置が必要となる。
【００２５】
図６は本発明の画像形成装置の第２の実施の形態の動作フローを説明するフローチャートである。既述の画像形成装置において、第２の実施の形態を図１、図２、図４および図６に基づいて説明する。
前記画像形成装置の非印刷状態（待機状態）において、ＲＯＭ１０６に格納されているプログラムをＣＰＵ１０５が解読・実行を行うと共に、予め設定されているモード（本実施の形態では手動印刷モード）の状態が保持されている。
図６のフローチャートにおいて、電源投入後（Ｓ２１）、装置内部の初期設定を行い（Ｓ２２）、手動印刷モード設定状態に移行する（Ｓ２３）。この後、印刷待機状態となる（Ｓ２４）。
この実施の形態では、自動印刷モード設定状態である装置がＲＦＩＤによる通信相手を検知し、情報を取得できた場合に内部のカウンタ機能によりＲＦＩＤ付き用紙の数をカウントし、数を認識する。
この状態において原稿台６５に原稿用紙を載置し、操作パネル１１１よりボタン押下によって複写要求を行ったさい（Ｓ２４）、１枚目の原稿用紙先端がピックアップローラ６７、給紙ローラ６８によりフィードされ（Ｓ２５）、ＲＦＩＤタグ読み取り手段８０を通過することで、原稿用紙にＲＦＩＤが付されていた場合、読み取り手段８０との間で規定の通信プロトコルによりデータ授受が行われる（Ｓ２７）。
このとき、規定のデータ授受に成功した結果（Ｓ２８）、装置は手動印刷モード設定状態から、自動印刷モード設定状態に移行（Ｓ２９）し、用紙上のＲＦＩＤタグから取得した印刷モードデータに基づいて（紙質や紙厚に対する最適な定着部温度の設定、既にレイアウト済みの印刷用紙に対する印刷の綴じ代設定やトリミング設定などの）内部の印刷モードの設定を変更する（Ｓ３０）。
ＲＦＩＤタグの情報から分類処理を行い（Ｓ３１）、抽出した分類番号毎にカウントして（Ｓ３２ａ）〜（Ｓ３２ｃ）、新たなカウント値を格納し（Ｓ３３ａ）〜（Ｓ３３ｃ）、印刷を実行する（Ｓ３４）。
この手順において、前記画像形成装置がＲＦＩＤタグ付き原稿用紙との間でＲＦＩＤ通信が成功した後、さらにタグ内部に格納しているデータの内、タグを分類するための識別データに基づいて、識別データを複数の分類に分ける分類処理機能を有している。
このため、原稿用紙がＲＦＩＤタグ読み取り装置８０を１枚ずつ通過する度に、用紙上のタグおよび装置内のタグ読み取り手段の相互通信を行い、さらに読みとった分類識別データに基づく分類処理により分類毎のタグ数を計数する（Ｓ３３ａ）〜（Ｓ３３ｃ）ことができる。
また、このカウンタ機能はソフトウェアによっても実現できるためＣＰＵ１０５によってＣＰＵ内部あるいはＲＡＭ１０７を一時記憶領域として使用しカウント動作を行うことでも構わない。ただし、画像形成装置の電源オフ後もカウントデータの保持が要求される場合は、ＲＯＭ１０６に記憶するなどの措置が必要となる。
【００２６】
図７は本発明の画像形成装置の第３の実施の形態の動作フローを説明するフローチャートである。既述の画像形成装置において、第３の実施の形態を図１、図２、図４および図７に基づいて説明する。
第２の実施の形態の手順において、計数した分類別のカウント値をＲＡＭ１０７から読み出し、一覧形式にして操作パネル１１１のタッチパネル１４１上にキャラクタ表示を行う。
本実施の形態では、自動印刷モード設定状態である装置がＲＦＩＤによる通信相手を検知し、情報を取得できた場合に内部のカウンタ機能によりＲＦＩＤ付き用紙の数をカウントし、数を認識する。
前記画像形成装置の非印刷状態（待機状態）において、ＲＯＭ１０６に格納されているプログラムをＣＰＵ１０５が解読・実行を行うと共に、予め設定されているモード（本実施の形態では手動印刷モード）の状態が保持されている。
図７のフローチャートにおいて、電源投入後（Ｓ４１）、装置内部の初期設定を行い（Ｓ４２）、手動印刷モード設定状態に移行する（Ｓ４３）。この後、印刷待機状態となる（Ｓ４４）。
この状態において原稿台６５に原稿用紙を載置し、操作パネル１１１よりボタン押下によって複写要求を行ったさい（Ｓ４４）、１枚目の原稿用紙先端がピックアップローラ６７、給紙ローラ６８によりフィードされ（Ｓ４５）、ＲＦＩＤタグ読み取り手段８０を通過する。
これによって、原稿用紙にＲＦＩＤが付されていた場合、読み取り手段８０との間で規定の通信プロトコルによりデータ授受が行われる（Ｓ４７）。このとき、規定のデータ授受に成功した結果（Ｓ４８）、装置は手動印刷モード設定状態から、自動印刷モード設定状態に移行（Ｓ４９）する。
用紙上のＲＦＩＤタグから取得した印刷モードデータに基づいて（紙質や紙厚に対する最適な定着部温度の設定、すでにレイアウト済みの印刷用紙に対する印刷の綴じ代設定やトリミング設定などの）内部の印刷モードの設定を変更し（Ｓ５０）、ＲＦＩＤタグの情報から分類処理を行う（Ｓ５１）。
抽出した分類番号毎にカウントして（Ｓ５２ａ〜Ｓ５２ｃ）、新たなカウント値を格納し（Ｓ５３ａ〜Ｓ５３ｃ）、カウント値を操作パネル１１１の表示部１４１上に一覧形式で表示する（Ｓ５４）と共に印刷を実行する（Ｓ５５）。
このとき、ＣＰＵ１０５はＲＦＩＤタグデータを解析し、予め設定した分類別に計数し、各々のデータを一元管理する。すなわち、一旦記憶したカウンタ値を読み出して一覧表示する。
また、このカウンタ機能はソフトウェアによっても実現できるためＣＰＵ１０５によってＣＰＵ内部あるいはＲＡＭ１０７を一時記憶領域として使用し、カウント動作を行うことでも構わない。ただし、画像形成装置の電源断後もカウントデータの保持が要求される場合は、ＲＯＭ１０６に記憶するなどの措置が必要となる。
【００２７】
図８は印刷設定状態を示した一覧印刷画面を示した図である。本発明の第４の実施の形態の動作を図２、図４、図７および図８に基づいて説明する。
第４の実施の形態の動作としては、上記第３の実施の形態の手順において、操作パネル１１１での特定キー入力あるいはカウンタ数一覧表示画面を操作ボタンの順次押下により呼び出し、印刷要求ボタン１３０の押下により、次の動作を実行する。
計数した分類別のカウント値（Ｓ５３ａ〜Ｓ５３ｃ）をＲＡＭ１０７から読み出し、分類名およびカウント数を一覧形式にして印刷用画像データを画像メモリ１０８にビットマップデータとして展開する。
また、装置内部の設定情報として給紙トレイの紙サイズやメモリサイズ、両面印刷などの印刷設定状態も併せて一覧データとして生成し、図８に示したような一覧形式にて画像メモリ１０８にビットマップデータとして展開する。
前記データ展開後、インターフェイス１０９を介してビデオ書き込み処理回路１０３にデータを転送し、ＬＤ制御部１０４によって、画像形成を行う。すなわち、本実施の形態では第２および第３の実施の形態において一旦記憶したカウンタ値を読み出して一覧印刷する。
【００２８】
図９は既述の画像形成装置におけるＲＦＩＤタグ通信手段の実施の形態を示す概略図である。本発明の第５の実施の形態を図１、図２および図９に基づいて説明する。
第１の実施の形態の手順において、図９記載のような通信周波数の異なる複数のＲＦＩＤタグ読み取り手段４０、あるいは８０を内蔵し、ＲＦＩＤタグ付き用紙が読み取り手段近傍を通過する際に、前記複数の読み取り手段が交互に電波を送信し、ＲＦＩＤタグとの通信を試みる。
一定回数の送信あるいは一定期間内にＲＦＩＤタグとの通信が正常に行われた場合、通信に成功した周波数の読み取り手段のみを機能させてタグデータの読み取りを行う。その間、他方の読み取り手段は非通信状態を保持する。
また、この通信制御はＣＰＵ１０５によってＲＦＩＤタグ読み取り手段４０あるいは８０を制御して行う。また、複数のＲＦＩＤタグは１つのＬＳＩチップ内に組み込んでも、同一プリント基板上に搭載されていても、サブユニットとして一体構造になっていても構わない。
すなわち、本実施の形態では、異なる周波数（ＲＦ）にて通信するリーダを用紙搬送途中に配置し、１枚の原稿読み取り動作あるいは１枚の用紙印刷動作中に複数のＲＦＩＤタグ情報を読み取る。
【００２９】
図１０は本発明の第６の実施の形態における通信周波数の時間変化をグラフで示す図である。既述の画像形成装置において、第６の実施の形態を図１、図２および図１０に基づいて説明する。
第１の実施の形態の手順において、通信周波数を段階的に変えられる単一のＲＦＩＤタグ読み取り手段４０、あるいは８０を内蔵し、ＲＦＩＤタグ付き用紙が読み取り手段近傍を通過する際に、前記読み取り手段が段階的に周波数を変えながら電波を送信し、ＲＦＩＤタグとの通信を試みる。
ＲＦＩＤタグ読み取り手段は、まず無通信状態から、周波数Ａにて一定時間の通信を試み、ＲＦＩＤタグとの通信が成功した場合はそのまま同じ周波数でタグデータの読み出しのための通信を継続するが、ＲＦＩＤタグからの応答コマンドの返答が無かった場合、次の周波数Ｂに切り換えて試みる。
同様に周波数Ｃ→周波数Ｄ→周波数Ｅと試み、いずれも応答がなかった場合は、用紙にタグが無いと判断して通信を終了する。また、この通信制御はＣＰＵ１０５によってＲＦＩＤタグ読み取り手段４０あるいは８０を制御して行う。
本実施の形態では、周波数（ＲＦ）を可変にする機能を有することにより、コンベヤとなる周波数で機能するＲＦＩＤタグから情報を読み取る。
周波数の可変は電子回路による周波数変調でも実現できるが、ソフトウェアにより波形タイミングを生成するソフトウェア無線を応用した周波数変調によっても実現できる。
【００３０】
図１１は本発明の第７の実施の形態における機能を説明する概略斜視図である。既述の画像形成装置において、第７の実施の形態を図２および図１１に基づいて説明する。
第１の実施の形態の手順において、複数のＲＦＩＤタグ読み取り手段が近接して配置されている状態で、各々のアンテナ部を電磁シールド材で成形した一方向のみ解放した電磁シールド材箱１４２に収納する。この状態では、近接したアンテナ同士の電磁干渉をある程度低減させることが可能となる。
さらに、アンテナに対し搬送する用紙の裏側に電磁シールド板１４６を配し、磁束を極力周囲に漏らさない形状とする。電磁シールド材箱１４２と電磁シールド板１４６間を印刷用紙１４４が搬送される。
その途中で印刷用紙１４４上に付したＲＦＩＤタグ１４５とＲＦＩＤ読み取り手段１４３間でデータ授受が行われる。これらの対応により、アンテナ部の電磁干渉は極めて小さくなる。
本実施の形態では、ＲＦＩＤタグ１４５の用紙上の一を限定するために、金属シールドや磁性体などの電磁シールド材を配置することによりＲＦＩＤ通信手段からの電磁波影響範囲を限定的にする。複数のＲＦＩＤ通信手段が近接している場合や、用紙上の近接位置に複数のＲＦＩＤタグを配置している場合などに誤読み出しを防止する。
【００３１】
図１２は本発明の画像形成装置の第８の実施の形態の動作フローを説明するフローチャートである。既述の画像形成装置において、第８の実施の形態を図２および図１２に基づいて説明する。
装置の電源投入（Ｓ６１）後、内部のデータ初期化および動作のための設定（Ｓ６２）を行う。次に手動印刷モード設定の状態に移行（Ｓ６３）し、印刷要求ボタンの押下を待つ（Ｓ６４）。
ボタンが押下されたら、原稿用紙をフィードＳ６５）すると共に、印刷用紙を給紙トレイからフィード（Ｓ６６）し、紙搬送系路上に配置した光センサにより用紙上のタグの有無および位置を検知（Ｓ６７）する。
印刷用紙がさらに搬送されＲＦＩＤタグ読み取り手段を通過するまで、装置はＲＦＩＤ通信のポーリング（Ｓ６８）を行う。通信が成功（Ｓ６９）したら、タグよりデータを取得（Ｓ７０）し、データに基づいて装置内部の印刷モード設定を自動モード設定に切り換え（Ｓ７１）、さらに内部設定データを変更する（Ｓ７２）。
データ内にステープル指示があるか否かを判断（Ｓ７３）し、指示されていた場合、すでに読み取ったステープル位置（Ｓ７４）を座標計算し、さらにタグデータ（Ｓ７０）から指示されたステープル位置と重複するか判断する（Ｓ７５）。
ステップ（Ｓ７５）で、重複位置にあると判断された場合、ステープル設定を解除（Ｓ７６）し、印刷指示がなされれば（Ｓ７７）印刷動作を実行（Ｓ７８）し、指示が無ければ印刷せずに終了する。また、ＲＦＩＤタグに位置情報を書き込んでおき、他のセンサを使わずにタグとの通信によって位置を認識しても構わない。
本実施の形態では、ＲＦＩＤタグとの通信時に用紙上のタグ位置を認識する手段を有し、対象装置へのステープル、パンチ穴、紙折り、切断、ミシン目設定を行うさい、あるいは設定後であってもタグ位置への前記行為はタグ部品の破壊につながるため、タグ位置への前記行為を禁止あるいは解除する。
【００３２】
図１３は本発明の画像形成装置の第９の実施の形態の動作フローを説明するフローチャートである。既述の画像形成装置において、第９の実施の形態を図２、図４および図１３に基づいて説明する。
印刷装置の電源投入（Ｓ８１）後、内部のデータ初期化および動作のための設定（Ｓ８２）を行う。次に手動印刷モード設定の状態に移行（Ｓ８３）し、印刷要求ボタンの押下を待つ（Ｓ８４）。
ボタンが押下されたら、原稿用紙をフィード（Ｓ８５）すると共に、印刷用紙を給紙トレイからフィード（Ｓ８６）し、紙搬送系路上に配置した光センサにより用紙上のタグの有無および位置を検知（Ｓ８７）する。
印刷用紙がさらに搬送され、ＲＦＩＤタグ読み取り手段４０を通過するまで、印刷装置はＲＦＩＤ通信のポーリング（Ｓ８８）を行う。通信が成功（Ｓ８９）したら、タグよりデータを取得（Ｓ９０）し、データに基づいて装置内部の印刷モード設定を自動モード設定に切り換え（Ｓ９１）、さらに内部設定データを変更する（Ｓ９２）。
データ内にステープル指示があるか否かを判断（Ｓ９３）し、指示されていた場合、すでに読み取ったステープル位置（Ｓ８７）を座標計算し、さらにタグデータ（Ｓ９０）から指示されたステープル位置と重複するか判断する（Ｓ９５）。
もし、重複位置にあると判断された場合、操作パネル１１１上に警告メッセージを表示（Ｓ９６）し、使用者に通知する。使用者が表示内容を判読した上で強制印刷を指示したら（Ｓ９７）、現在の設定のまま印刷を実行（Ｓ９９）し、使用者が設定を変更する指示をした場合（Ｓ９８）、印刷モードの再設定を行うルーチンに処理を移動する。
この場合、重複位置にあると判断された場合は、印刷動作は行われず一旦停止状態となり、操作パネル１１１からの再設定入力あるいは強制印刷指示により印刷は再開される。また、操作パネルとは別の表示器、ブザーなどの音発生装置、振動発生器、点字キーボードなどによる使用者への通知を併用しても構わない。
本実施の形態では、第８の実施の形態における対象装置において、設定の禁止あるいは解除と共に、操作パネルへの警告メッセージ表示を行なうか、またはパイロットランプやＬＥＤなどの発光手段に表示することによって使用者に意思表示する。
【００３３】
図１４は本発明の第１０の実施の形態におけるシステムを説明する概略ブロック図である。既述の画像形成装置において、第１０の実施の形態を図２および図１４に基づいて説明する。
第１の実施の形態の手順において、操作パネル１１１の前面に赤外線センサ１４７を配置し、受光量を電気変換する。出力信号は微弱であるため増幅器１４８にて電気的に増幅され、比較器１４９に入力される。比較器１４９では、入力電圧に一定の閾置を設定し、比較結果により０、１のデジタル信号を制御回路１５０に出力する。
制御回路１５０では、結果により使用者１５６の有無を認識し、通信回路１５１を介して特定のプロトコルで画像形成装置本体５０の通信回路１５５に結果を通知する。本体の通信回路１５５から入力された結果データを本体側のＣＰＵ１０５が認識し、動作を決定する。
また、操作パネル１１１はすでに述べた通り、その他の機能として表示器１５２、および入力器１５３を備えており、制御回路１５０にて一元管理される。
装置は、装置前に使用者１５６が存在するか否かを検知すると共に、原稿用紙に付したＲＦＩＤタグを読み取り手段によって認識する。
使用者１５６の検知とタグの検知のどちらも検知しない状態では操作パネル１１１の表示を消す。このとき、ＬＣＤパネルであればバックライトを消すなどの機能としても構わないし、一部の表示を残して表示位置を移動させるいわゆるスクリーンセーバ機能としても構わない。
本実施の形態では、光センサや音センサにより装置周辺の人の有無を検知し、（用紙搬送中でない＝）ＲＦＩＤタグとの通信をしていない状態で、かつ人が装置前にいない状態では表示を行わない省電力モードにしている。
【００３４】
図１５は本発明の画像形成装置の第１１の実施の形態の動作フローを説明するフローチャートである。既述の画像形成装置において、第１１の実施の形態を図２、図４および図１５に基づいて説明する。
第１の実施の形態の手順において、操作パネル１１１から複写印刷要求を含む何らかのデータ入力操作、あるいは装置に外部接続しているデータ入力装置、あるいはＲＦＩＤタグ読み取り手段でのタグ認識データ入力の少なくもともいずれかの入力が行われない時間経過が、事前に設定された時間を超過した場合、操作パネル１１１の表示の一部あるいは全部を消す。
前記画像形成装置の非印刷状態（待機状態）において、ＲＯＭ１０６に格納されているプログラムをＣＰＵ１０５が解読・実行を行うと共に、予め設定されているモード（本実施の形態では手動印刷モード）の状態が保持されている。
図１５のフローチャートにおいて、電源投入（Ｓ１０１）後、装置内部の初期設定を行い（Ｓ１０２）、操作パネル１１１に装置の状態表示（Ｓ１０３）し、手動印刷モード設定状態に移行する（Ｓ１０４）。
この後、操作パネル１１１よりボタン押下によって複写要求があるかを判断し（Ｓ１０５）、要求があれば操作パネル１１１の状態表示は保持される（Ｓ１０６）が、要求がなければさらにＲＦＩＤタグ読み取り手段からタグへのポーリング通信を行う（Ｓ１０７）。
ＲＦＩＤタグが存在し、このポーリング通信に応答可能な状態であれば（Ｓ１０８）、同様に操作パネル１１１の状態表示は保持される（Ｓ１０６）が、前記複写要求もタグからの応答も無い状態であれば、事前に設定されたタイムアウト時間を超過したかどうかを判断し（Ｓ１０９）、超過していなければ（Ｓ１０５）に戻るが、超過していれば操作パネル１１１の表示を消す（Ｓ１１０）。
また、ＲＦＩＤタグからの応答については、実際に通信をした後タグから期待値を読み出せたことで、初めて応答したと判断しても良い。また、操作パネルの表示機能がＬＣＤパネルであればバックライトを消すなどの機能としても構わないし、一部の表示を残して表示位置を移動させるいわゆるスクリーンセーバ機能としても構わない。
本実施の形態では、対象装置に時計機能を持たせ、操作要求や診察要求が無いか、または用紙搬送の間隔が一定時間内に行なわれなかった場合、表示を行なわない省電力モードとしている。
【００３５】
図１６は本発明の画像形成装置の第１１の実施の形態の動作フローを説明するフローチャートである。既述の画像形成装置において、第１２の実施の形態を図２および図１６に基づいて説明する。
第１の実施の形態の手順において、操作パネル１１１から複写印刷要求を含む何らかのデータ入力操作、あるいは装置に外部接続しているデータ入力装置、あるいはＲＦＩＤタグ読み取り装置でのタグ認識データ入力の少なくもともいずれかの入力が行われない時間経過が、事前に設定された時間を超過した場合、定着ローラ３１（図１参照）への供給電力をカットあるいは低下させ、定着温度を下げる。
前記画像形成装置の非印刷状態（待機状態）において、ＲＯＭ１０６に格納されているプログラムをＣＰＵ１０５が解読・実行を行うと共に、予め設定されているモード（本例では手動印刷モード）の状態が保持されている。
図１６のフローチャートにおいて、電源投入（Ｓ１２１）後、装置内部の初期設定を行い（Ｓ１２２）、操作パネルに装置の状態表示を行い（Ｓ１２３）、手動印刷モード設定状態に移行する（Ｓ１２４）。
この後、操作パネル１１１よりボタン押下によって複写要求があるかを判断し（Ｓ１２５）、要求があれば定着ローラ３１をオンする（Ｓ１２６）が、要求がなければ更にＲＦＩＤタグ読み取り手段からタグへのポーリング通信を行う（Ｓ１２７）。
ＲＦＩＤタグが存在し、このポーリング通信に応答可能な状態であれば（Ｓ１２８）、同様に定着ローラ３１をオンする（Ｓ１２６）が、前記複写要求もタグからの応答も無い状態であれば、事前に設定されたタイムアウト時間を超過したかどうかを判断し（Ｓ１２９）、超過していなければ（Ｓ１２５）に戻るが、超過していれば定着ローラ３１への供給電力を下げるかまたは切る（Ｓ１３０）。
このとき、定着ローラ３１への供給電力は前記データ入力のいずれかを検知した後、所定のソフトウェア処理を行う中で状態復帰が行われても構わないし、装置が印刷用紙に印刷するための画像データのＲＡＭ１０６上での展開時あるいは展開完了により復帰させても構わない。
【００３６】
本実施の形態では、時計機能を持たせ、操作要求や印刷要求が無いか、または用紙搬送の間隔が一定時間内に行なわれなかった場合、印刷装置の定着温度を下げるため供給電力をカット、または低下させる省電力モードとしている。
本発明によれば、自動印刷モード設定状態である装置がＲＦＩＤタグによる通信相手を検知し、情報を取得できた場合に、通信相手のタグ情報の分類を認識し、分類毎にカウンタ値を計算して記憶手段に記憶することが可能となる。
これにより、タグに記憶された紙サイズ・紙種・紙色・印刷すべきモード（両面印刷、集約印刷、画像合成）、印刷スピード、定着温度設定など、任意の分類毎のカウンタ値、すなわち紙数を把握することが可能となる。これにより、詳細な機器の管理が可能となる。
本発明によれば、一旦記憶したカウンタ値を読み出して、装置の操作パネルあるいは外付けのカウンタ表示装置に表示することが可能となる。任意のカウンタ値を固定あるいは選択して表示することも可能であるが、全ての項目を一覧表示することも可能となる。これにより使用者・管理者において装置の印刷状況を容易に把握することが可能となる。
本発明によれば、一旦記憶したカウンタ値を読み出して一覧印刷することが可能となる。任意のカウンタ値を操作パネルや装置に接続しているホストコンピュータやＰＤＡ、携帯電話などの電子機器からの本発明による印刷装置への設定により、装置が一覧として情報の一部あるいは全てを一覧で印刷することが可能となり、使用者・管理者において装置の印刷状況を容易に把握することが可能となる。
本発明によれば、異なる周波数（ＲＦ）にて通信するリーダを紙搬送途中に配置することで、複数の異なった周波数で機能するＲＦＩＤタグ付き用紙を使用した場合、１枚の原稿読み取り動作あるいは１枚の紙印刷動作中に複数のＲＦＩＤタグ情報を読み取ることが可能となる。
本発明によれば、周波数（ＲＦ）を可変にする機能を持つことにより、複数の異なった周波数で機能するＲＦＩＤタグ付き用紙を使用した場合、異なる周波数で機能するＲＦＩＤタグから情報を読み取ることができる。
【００３７】
本発明によれば、ＲＦＩＤタグの用紙上の位置を限定するために、金属シールドや磁性体などの電磁シールド材を配置することによりＲＦＩＤ通信手段からの電磁波影響範囲を限定的にすることが可能となる。
特に、複数のＲＦＩＤ通信手段が近接している場合や、紙上の近接位置に複数のＲＦＩＤタグを配置している場合などに誤読み出しを防止することが可能となる。
また、ＲＦＩＤタグとの通信時に紙上のタグ位置を認識する手段を持ち、対象装置へのステープル、パンチ穴、紙折り、切断、ミシン目設定を行うさい、あるいは設定後であってもタグ位置への前記行為を禁止あるいは解除することが可能となる。これによりタグ位置への前記行為によるタグ部品の破壊を防止することが可能となる。
本発明によれば、設定の禁止あるいは解除と共に、操作パネルへの警告メッセージ表示を行うか、またはパイロットランプやＬＥＤなどの発光手段に表示することで使用者に意思表示することが可能となる。特に高齢者や聴覚障害者に対して操作性の向上が図られるようになる。
本発明によれば、光センサや音センサにより印刷装置周辺の人の有無を検知して、（紙搬送中でない＝）ＲＦＩＤタグとの通信をしていない状態で、かつ使用者が印刷装置前にいない状態では表示を行わないことにより、装置の消費電力を低減することが可能となる。特に複写機やスキャナなど画像形成装置の前で直接設定を行う必要のある場合に有用である。
本発明によれば、時計機能を持たせ、操作要求や印刷要求が無いか、または用紙搬送の間隔が一定時間内に行われなかった場合、表示を行わないことにより装置の消費電力を低減することが可能となる。複写機やスキャナなどの他、プリンタなどホストコンピュータなどから遠隔で印刷要求を指示する場合にも有用である。
本発明によれば、時計機能を持たせ、操作要求や印刷要求が無いか、または用紙搬送の間隔が一定時間内に行われなかった場合、印刷装置の定着部への電源供給を低下させる制御により消費電力の低減が可能となる。
【図面の簡単な説明】
【００３８】
【図１】本発明の画像形成装置である複写装置の内部構造を概略的に示す断面図。
【図２】図１のデジタル複写装置の制御部の主として画像処理に係わる部分の概略を示すブロック構成図。
【図３】図２の画像処理回路の細部を示すブロック回路図。
【図４】画像形成装置である複写装置本体の前面上部に設けられる操作パネルの構成を示す平面図。
【図５】本発明の画像形成装置の第１の実施の形態の動作フローを説明するフローチャート。
【図６】本発明の画像形成装置の第２の実施の形態の動作フローを説明するフローチャート。
【図７】本発明の画像形成装置の第３の実施の形態の動作フローを説明するフローチャート。
【図８】本発明の第４の実施の形態における印刷設定状態を示した一覧印刷画面を示した図。
【図９】既述の画像形成装置におけるＲＦＩＤタグ通信手段の実施の形態を示す概略図である。
【図１０】本発明の第６の実施の形態における通信周波数の時間変化をグラフで示す図である。
【図１１】本発明の第７の実施の形態における機能を説明する概略斜視図。
【図１２】本発明の画像形成装置の第８の実施の形態の動作フローを説明するフローチャート。
【図１３】本発明の画像形成装置の第９の実施の形態の動作フローを説明するフローチャート。
【図１４】本発明の第１０の実施の形態におけるシステムを説明する概略ブロック図。
【図１５】本発明の画像形成装置の第１１の実施の形態の動作フローを説明するフローチャート。
【図１６】本発明の画像形成装置の第１１の実施の形態の動作フローを説明するフローチャート。
【符号の説明】
【００３９】
４０、８０  ＲＦＩＤタグ読み取り手段、５０  画像形成装置、５０ｂ  プリンタ部、１０５  ＣＰＵ、１１１  操作パネル、１４１  タッチパネル、１４３  ＲＦＩＤタグ読み取り手段、１４４  印刷用紙、１４５  ＲＦＩＤタグ、１４６  電磁シールド板、１５４  インターフェイス
【図１】
2005313551.tif 000003
【図２】
2005313551.tif 000004
【図３】
2005313551.tif 000005
【図４】
2005313551.tif 000006
【図５】
2005313551.tif 000007
【図６】
2005313551.tif 000008
【図７】
2005313551.tif 000009
【図８】
2005313551.tif 000010
【図９】
2005313551.tif 000011
【図１０】
2005313551.tif 000012
【図１１】
2005313551.tif 000013
【図１２】
2005313551.tif 000014
【図１３】
2005313551.tif 000015
【図１４】
2005313551.tif 000016
【図１５】
2005313551.tif 000017
【図１６】
2005313551.tif 000018